(57)【要約】      （修正有）【課題】容器を被覆する断熱材の厚さを増加させることなく、容器からの放熱量を低減させ、よって改質器の熱効率や反応効率を向上させるようにした燃料電池の改質器を提供する。【解決手段】燃料と水蒸気を改質触媒８４で反応させて燃料電池に供給されるべき改質ガスを生成する改質部７６と、改質触媒を加熱する加熱部８０と、改質部および加熱部を収容する容器８２とを備えた燃料電池の改質器５６において、容器の内面８２ｃに金属材からなる被覆層１２６を形成し、よって容器の輻射率εを低下させる。【選択図】図２
2007311165.tif 000002
【特許請求の範囲】
【請求項１】
燃料と水蒸気を改質触媒で反応させて燃料電池に供給されるべき改質ガスを生成する改質部と、前記改質触媒を加熱する加熱部と、前記改質部および加熱部を収容する容器とを備えた燃料電池の改質器において、前記容器の内面に金属材からなる被覆層を形成し、よって前記容器の輻射率を低下させることを特徴とする燃料電池の改質器。
【請求項２】
前記金属材が、耐熱性および耐食性を有する素材からなることを特徴とする請求項１記載の燃料電池の改質器。
【請求項３】
前記金属材が、金、銀および白金の少なくともいずれかからなることを特徴とする請求項１または２記載の燃料電池の改質器。
【発明の詳細な説明】
【技術分野】
【０００１】
この発明は、燃料電池の改質器に関する。
【背景技術】
【０００２】
従来より、燃料（例えば、メタンを主成分とする都市ガスなど）と水蒸気を改質触媒で反応させて燃料電池に供給されるべき改質ガスを生成する改質部と、改質触媒を加熱する加熱部と、改質部と加熱部を収容する容器とを備えると共に、容器の外周を断熱材で被覆し、容器からの放熱量を低減するようにした燃料電池の改質器が種々提案されている（例えば、特許文献１参照）。
【特許文献１】特開２０００−１７８００４号公報（段落０００６，００１６、図１など）
【発明の開示】
【発明が解決しようとする課題】
【０００３】
特許文献１に記載される如く構成して容器からの放熱量を低減させることは、改質器の熱効率や反応効率の向上に繋がる。そのため、容器からの放熱量をより一層低減させて断熱効果を向上させることが望ましい。そこで、前記した断熱材の厚さを増加させて放熱量を低減させることが考えられるが、改質器のレイアウト上、困難な場合が多い。
【０００４】
従って、この発明の目的は上記した課題を解決し、容器を被覆する断熱材の厚さを増加させることなく、容器からの放熱量を低減させ、よって改質器の熱効率や反応効率を向上させるようにした燃料電池の改質器を提供することにある。
【課題を解決するための手段】
【０００５】
上記の目的を解決するために、請求項１にあっては、燃料と水蒸気を改質触媒で反応させて燃料電池に供給されるべき改質ガスを生成する改質部と、前記改質触媒を加熱する加熱部と、前記改質部および加熱部を収容する容器とを備えた燃料電池の改質器において、前記容器の内面に金属材からなる被覆層を形成し、よって前記容器の輻射率を低下させるように構成した。
【０００６】
請求項２にあっては、前記金属材が、耐熱性および耐食性を有する素材からなるように構成した。
【０００７】
請求項３にあっては、前記金属材が、金、銀および白金の少なくともいずれかからなるように構成した。
【発明の効果】
【０００８】
請求項１に係る燃料電池の改質器にあっては、改質ガスを生成する改質部と改質触媒を加熱する加熱部とを収容する容器の内面に、金属材からなる被覆層を形成し、よって容器の輻射率（放射率）を低下させる、逆にいえば、反射率を増大させ、加熱部などから容器に伝達される熱を反射して放熱を防ぐように構成したので、容器からの放熱量を低減でき、改質器の熱効率や反応効率を向上させることができる。また、断熱材の厚さを増加させて放熱量の低減を図る場合に比して容易に（簡単な工程で）、かつ容器の外形を大きくすることなく、高い断熱効果を得ることができる。
【０００９】
請求項２に係る燃料電池の改質器にあっては、金属材が、耐熱性および耐食性を有する素材からなるように構成したので、上記した効果に加え、容器の内面に、比較的高温となった加熱部などから熱が伝達される場合であっても、金属材からなる被覆層は溶融や腐食（酸化など）され難い。
【００１０】
請求項３に係る燃料電池の改質器にあっては、金属材が、金、銀および白金の少なくともいずれかからなるように構成したので、上記した効果に加え、容器の内面に、比較的高温となった加熱部などから熱が伝達される場合であっても、金属材からなる被覆層はより一層溶融や腐食（酸化など）され難い。
【発明を実施するための最良の形態】
【００１１】
以下、添付図面に即してこの発明に係る燃料電池の改質器の最良の実施の形態について説明する。
【実施例】
【００１２】
図１は、この発明の実施例に係る燃料電池の改質器を説明するための概略図である。
【００１３】
図１において、符号１０は燃料電池（スタック）を示す。燃料電池１０は、電解質膜（固体高分子膜）と、それを挟持するカソード極（空気極）とアノード極（燃料極）と、各電極の外側に配置されるセパレータとから構成される単電池を複数個積層して形成された、公知の固体高分子型燃料電池である。
【００１４】
燃料電池１０には、カソード極にカソードガス（反応空気）を供給するカソードガス供給系１２と、アノード極にアノードガス（改質ガス）を供給するアノードガス供給系１４とが接続される。
【００１５】
カソードガス供給系１２は、大気（空気）の粉塵を除去するエアクリーナ１６と、エアクリーナ１６を通過した空気をカソードガスとして燃料電池１０に圧送するカソードガスポンプ２０と、カソードガスポンプ２０を燃料電池１０のカソード極の入口（図示せず）に接続するカソードガス流路２２とを備える。
【００１６】
アノードガス供給系１４は、改質などに使用される燃料（例えば、脱硫された都市ガス。以下「改質用燃料」という）と水蒸気などから、燃料電池１０のアノード極に供給されるべき水素を含有した改質ガスを生成する改質装置２４と、改質装置２４を燃料電池１０のアノード極の入口（図示せず）に接続するアノードガス流路２６とを備える。この改質装置２４については、後に詳説する。
【００１７】
燃料電池１０は、燃料電池１０で発生した電力を出力する出力端子２８を備えると共に、出力端子２８には電力制御系３０が接続される。電力制御系３０は、マイクロコンピュータなどからなる電子制御ユニット（Electronic Control Unit。以下「ＥＣＵ」という）３２、直流電流を所定の周波数の交流電流に変換するインバータ３４などを備える。尚、ＥＣＵ３２は、カソードガスポンプ２０やインバータ３４、後述する燃焼バーナの点火電極などの補機類の動作を制御する。
【００１８】
また、燃料電池１０には、燃料電池１０から排出されたカソードガス（以下「カソードオフガス」という）を排気する排気系３６と、燃料電池１０で使用されなかったアノードガス（未反応ガス。以下「アノードオフガス」という）などを燃料電池１０や改質装置２４に還流させる還流系４０が接続される。
【００１９】
還流系４０は、燃料電池１０のアノードオフガスを排出するアノードオフガス排出口（図示せず）と前記したアノードガス流路２６とを接続する第１のアノードオフガス流路４２と、第１のアノードオフガス流路４２から分岐され、第１のアノードオフガス流路４２と後述する改質装置２４の改質器とを接続する第２のアノードオフガス流路４４とを備える。さらに、還流系４０は、アノードガス流路２６から分岐され、アノードガス流路２６と第２のアノードオフガス流路４４とを接続するアノードガス還流路４６を備える。
【００２０】
尚、燃料電池１０には、上記した各構成要素の他に、燃料電池１０を冷却する冷却系やカソードガスを加湿する加湿器なども接続されるが、それらは本願の要旨と直接の関係を有しないので、いずれも図示および説明を省略する。
【００２１】
次いで、燃料電池１０の動作について説明する。
【００２２】
燃料電池１０のカソード極に供給されたカソードガスは、アノード極に供給されたアノードガスと電気化学反応を生じる。電気化学反応によって燃料電池１０が発生した電力（直流電流）は、出力端子２８から取り出され、その一部がＥＣＵ３２やカソードガスポンプ２０などの補機類の電源として使用されると共に、残部がインバータ３４を介して電気負荷（交流電源機器）５０に供給される。
【００２３】
燃料電池１０から排出されたカソードオフガスは、排気系３６を介して大気中に排出される。また、燃料電池１０で使用されずに排出されたアノードオフガスは、第１のアノードオフガス流路４２を介してアノードガス流路２６に還流され、再度燃料電池１０に供給される。アノードオフガスはさらに、第１および第２のアノードオフガス流路４２，４４を介して改質装置２４の燃焼バーナ（後述）に供給される。尚、改質装置２４において生成されたアノードガスの一部も、アノードガス流路２６、アノードガス還流路４６および第２のアノードオフガス流路４４を介して改質装置２４の燃焼バーナに供給される。
【００２４】
次いで、燃料電池１０の改質装置２４について詳説する。
【００２５】
改質装置２４は、都市ガスの付臭剤（有機硫黄化合物など）を除去する脱硫器５４と、脱硫器５４を通過した都市ガス（改質用燃料）が流入させられる改質器５６と、脱硫器５４を改質器５６に接続する改質用燃料流路６０と、改質に使用される水（以下「改質用水」という）を改質器５６に圧送する送水ポンプ６２と、送水ポンプ６２を改質器５６に接続する改質用水流路６４とを備える。
【００２６】
改質装置２４はさらに、大気の粉塵を除去するエアクリーナ６６と、エアクリーナ６６を通過した空気を加熱用燃料を燃焼させるための空気（以下「燃焼空気」という）として改質器５６に圧送する燃焼空気ポンプ７０と、燃焼空気ポンプ７０を改質器５６に接続する燃焼空気流路７２と、改質器５６で発生する燃焼排ガスを大気中に排出する燃焼排ガス流路７４とを備える。
【００２７】
図２は、改質器５６の断面を示す説明断面図である。
【００２８】
図示の如く、改質器５６は、改質用燃料と改質用水を改質触媒で反応させて燃料電池１０に供給されるべき改質ガスを生成する改質部７６と、改質部７６の改質触媒などを加熱する加熱部８０と、改質部７６および加熱部８０を収容する容器（ケース）８２とを備える。
【００２９】
改質部７６は、改質触媒８４が充填される改質管８６と、改質管８６に接続される改質ガス管９０と、改質ガス管９０の途中に介挿されると共に、改質ガスに残存する一酸化炭素（ＣＯ）を除去するＣＯ除去部９２とを備える。尚、改質部７６の改質管８６には、前記した改質用燃料流路６０が改質用燃料管９４（後述）などを介して接続されると共に、改質用水流路６４も改質用水管９６（後述）などを介して接続される。また、改質ガス管９０にはアノードガス流路２６が接続される。
【００３０】
加熱部８０は、容器８２の上蓋８２ａに配置される燃焼バーナ１００と、燃焼バーナ１００の紙面において下方に接続される燃焼室１０２と、燃焼室１０２における燃焼バーナ１００の燃焼によって発生した燃焼排ガスを排出する燃焼排ガス管１０４とを備える。
【００３１】
燃焼バーナ１００は、前記した第２のアノードオフガス流路４４に接続され、燃料電池１０から排出されたアノードオフガスや改質装置２４において生成されたアノードガスの一部、別言すれば、改質ガスを加熱用燃料として導入する加熱用燃料導入管１１０と、燃焼空気流路７２および改質用燃料流路６０に接続され、燃焼空気および改質用燃料を加熱用燃料として導入する燃焼空気・改質用燃料導入管１１２と、加熱用燃料と燃焼空気を混合させる燃焼管１１４と、燃焼管１１４の下端付近に配置され、点火されるとき加熱用燃料を燃焼させる点火電極１１６とを備える。
【００３２】
燃焼室１０２は、その上部１０２ａが容器８２の上蓋８２ａ付近である一方、下部１０２ｂが容器８２の下端８２ｂ付近となるようにして配置される。燃焼室１０２は、下部１０２ｂにおいて燃焼排ガス管１０４と連通される。燃焼排ガス管１０４は、燃焼室１０２の外壁１０２ｃに沿うようにして上方に延設された後、容器８２の上蓋８２ａ付近で屈曲し、その後燃焼排ガス流路７４に接続される。
【００３３】
上記した改質用水管９６は、燃焼室１０２と燃焼排ガス管１０４などを取り囲むようにして配置されたリング状のＣＯ除去部９２の外周９２ａを、複数回（４回）周回するようにして配置され、その後燃焼排ガス管１０４の内部１０４ａに配置される。燃焼排ガス管１０４の内部１０４ａに配置された改質用水管９６は、燃焼室１０２の外壁１０２ｃに接触させられつつ、その周りを複数回（４回）周回するようにして配置される。
【００３４】
改質用水管９６には、改質用燃料管９４が接続部１２０を介して接続される。以下、改質用水管９６の改質用水の流れにおいて接続部１２０より下流側の改質用水管９６を「改質用燃料・水管」と呼び、符号１２２で示す。改質用燃料・水管１２２はさらに、燃焼室１０２の外壁１０２ｃを複数回（４回）周回するように配置された後、改質管８６に接続される。
【００３５】
改質管８６は、燃焼排ガス管１０４に接触させられつつ下方に向けて延設されると共に、その下端８６ａにおいて改質ガス管９０と連通される。改質ガス管９０は、改質管８６の外壁８６ｂに沿うようにして上方に延設された後、容器８２の上蓋８２ａ付近で屈曲し、その後アノードガス流路２６に接続される。
【００３６】
改質器５６の容器８２は、ステンレス材から製作されると共に、上記のように構成された改質部７６と加熱部８０を収容可能な形状、具体的には、断面視略Ｕ字状を呈し、その内面８２ｃは、図２に示す如く、改質ガス管９０とＣＯ除去部９２の外周９０ａ，９２ａおよび燃焼室１０２の下面１０２ｃに接している。また、容器の内面８２ｃと外面８２ｄの間に形成された空間には、断熱材（例えば、グラスウールなど）１２４が配置（充填）される。
【００３７】
ここで、容器８２の内面８２ｃには、金属材からなる被覆層１２６（図２において、一点鎖線で示す）が形成される。被覆層１２６は、具体的には、容器８２の内面８２ｃに、金属材からなる箔を貼り付ける、あるいは金属材からなるメッキなどでコーティングを施すことで形成される。
【００３８】
被覆層１２６の金属材は、容器８２からの放熱量を低減可能な材質、換言すれば、輻射率（放射率）εが比較的低い材質とする。具体的な輻射率εの比較的低い材質としては、金（Ａｕ。ε＝０．０２〜０．０３）、銀（Ａｇ。ε＝０．０２〜０．０３）、銅（Ｃｕ。ε＝０．０２〜０．０４）、白金（Ｐｔ。ε＝０．０４〜０．１）、アルミニウム（Ａｌ。ε＝０．０４〜０．０８）、およびステンレス材（例えばＳＵＳ３０４。ε＝０．５〜０．６）などがよく知られている。
【００３９】
ところで、容器８２の内面８２ｃは、後述する如く、改質部７６と加熱部８０などの熱が伝達されるため、６００〜７００［℃］と高温になる場合がある。そのような環境下にあっては、アルミニウムなどは溶融してしまうと共に、ステンレス材は表面の鉄が酸化して逆に輻射率εが０．７〜０．８と増大してしまう。従って、前述した複数種の金属材の中から、比較的高温の環境下でも溶融せず、かつ酸化により輻射率εが増大し難いもの、別言すれば、耐熱性および耐食性を有する素材からなるものを選択する必要がある。
【００４０】
そこで、発明者は知見を重ねた結果、輻射率εが比較的低く、耐熱性および耐食性を有する金属材として、金、銀および白金の少なくともいずれかが望ましく、さらにその中でも銀が望ましいことを見出した。
【００４１】
このように、改質器５６の容器８２にあっては、その内面８２ｃに金属材からなる被覆層１２６を形成、具体的には、金属材からなる箔を貼り付ける、あるいは金属材からなるメッキなど（より具体的には、銀メッキ）でコーティングを施し、よって容器８２自体の輻射率εを低下させ、容器８２からの放熱量を低減させる、逆にいえば、反射率ρを増大させ、加熱部８０などから伝達される熱を反射させるようにした。
【００４２】
次いで、上記の如く構成された改質装置２４の動作を、図１および２を参照して説明する。
【００４３】
都市ガス供給源（図示せず）から供給される都市ガスは、脱硫器５４で付臭剤が除去される。これにより、都市ガスの流れにおいて下流側に配置される改質触媒８４などが、硫黄によって被毒するのを防ぐことができる。次いで、付臭剤が除去された都市ガス、即ち、改質用燃料は、改質用燃料流路６０を介して先ず改質器５６の燃焼バーナ１００の燃焼空気・改質用燃料導入管１１２に加熱用燃料として供給される。
【００４４】
また、燃焼空気ポンプ７０によって吸引され、エアクリーナ６６で粉塵が除去された燃焼空気も、燃焼空気流路７２を介して燃焼バーナ１００の燃焼空気・改質用燃料導入管１１２に供給される。燃焼空気・改質用燃料導入管１１２に供給された改質用燃料と燃焼空気（混合気）は燃焼管１１４に向けて吐出させられる。
【００４５】
その後混合気は、点火電極１１６によって点火（着火）されて燃焼させられる。燃焼バーナ１００の燃焼によって発生した燃焼排ガスは、図２に矢印で示すように、紙面下方に向けて流れる。燃焼排ガスは、燃焼室１０２の内部を通過して燃焼排ガス管１０４に供給される。燃焼排ガス管１０４に供給された燃焼排ガスは、燃焼排ガス管１０４の内部１０４ａや壁面を昇温させつつ図２において上方へ流れる。このとき、改質管８６は、その外壁８６ｂが燃焼排ガス管１０４に接触するようにして配置されるため、燃焼排ガス管１０４の熱が伝達されて加熱される。それに伴って、改質管８６の内部に充填された改質触媒８４も加熱されて昇温される。燃焼排ガス管１０４の燃焼排ガスはその後、燃焼排ガス流路７４へ流入させられて大気中に排出される。
【００４６】
図示しない改質触媒温度センサなどの出力に基づいて、改質触媒８４が改質可能な温度（具体的には、７００［℃］程度）まで加熱されたと判断されると、改質装置２４において、改質動作が開始される。具体的には、送水ポンプ６２で吸引された水供給源（図示せず）の改質用水は、改質用水流路６４を介して改質用水管９６に流入させられる。
【００４７】
改質用水管９６は、比較的高温となるＣＯ除去部９２の外周９２ａを周回するように配置されると共に、前述した燃焼排ガスによって昇温させられた燃焼排ガス管１０４の内部１０４ａに配置されているため、それらによって加熱されることとなる。これにより、改質用水管９６に流入させられた改質用水は蒸発して水蒸気となり、その水蒸気は、接続部１２０において、改質用燃料流路６０を介して改質用燃料管９４に流入させられた改質用燃料と合流して混合される。
【００４８】
混合された改質用燃料と水蒸気は、改質用燃料・水管１２２内を通過した後、改質管８６に流入させられる。改質管８６の改質触媒８４は、燃焼排ガス管１０４よって加熱されて改質可能な温度まで昇温させられているため、水蒸気改質反応が起こる、即ち、混合された改質用燃料と水蒸気から水素を含有する改質ガスが生成される。
【００４９】
生成された改質ガスは、改質ガス管９０を介してＣＯ除去部９２に流入させられ、改質ガスに残存するＣＯが除去された後、アノードガス流路２６に流入させられる。このように、改質器５６によって改質動作が行われて改質ガス（アノードガス）が生成される。
【００５０】
改質ガスが燃料電池１０に供給されると、燃料電池１０において前述した電気化学反応が起こり、電力が発生させられて燃料電池１０は、通常運転となる。燃料電池１０の通常運転時にあっては、改質用燃料流路６０から燃焼空気・改質用燃料導入管１１２へ供給される改質用燃料の量が徐々に減少させられ、最終的にはその供給が停止される。
【００５１】
改質用燃料の供給量の減少に伴って燃焼バーナ１００には、改質用燃料に代えて改質ガスが加熱用燃料として供給される。具体的には、改質ガス（具体的には、第２のアノードオフガス流路４４を流れるアノードオフガスおよびアノードガス）が、燃焼バーナ１００の加熱用燃料導入部１１０に供給（導入）される。
【００５２】
改質ガスは、燃焼管１１４において燃焼空気・改質用燃料導入管１１２からの燃焼空気と混合され、点火電極１１６によって点火されて燃焼させられる。尚、改質ガスを含む混合気を燃焼バーナで燃焼させる場合であっても、燃焼排ガスの流れなどは前述と同じであるため、説明を省略する。
【００５３】
このように、改質ガスを生成する改質部７６と改質触媒８４を加熱する加熱部８０とを収容する容器８２の内面８２ｃに、金属材からなる被覆層１２６を形成し、よって容器８２の輻射率（放射率）εを低下させる、逆にいえば、反射率ρを増大させ、加熱部８０などから容器８２に伝達される熱を反射して放熱を防ぐように構成したので、容器８２からの放熱量を低減でき、改質器５６の熱効率や反応効率を向上させることができる。また、断熱材１２４の厚さを増加させて放熱量の低減を図る場合に比して容易に（簡単な工程で）、かつ容器８２の外形を大きくすることなく、高い断熱効果を得ることができる。
【００５４】
また、金属材が、耐熱性および耐食性を有する素材からなるように構成したので、容器８２の内面８２ｃに、比較的高温となった加熱部８０などから熱が伝達される場合であっても、金属材からなる被覆層１２４は溶融や腐食（酸化など）され難い。
【００５５】
また、金属材が、金、銀および白金の少なくともいずれかからなるように構成したので、容器８２の内面８２ｃに、比較的高温となった加熱部８０などから熱が伝達される場合であっても、金属材からなる被覆層１２４はより一層溶融や腐食（酸化など）され難い。
【００５６】
以上のように、この発明の実施例にあっては、燃料と水蒸気を改質触媒（８４）で反応させて燃料電池（１０）に供給されるべき改質ガスを生成する改質部（７６）と、前記改質触媒を加熱する加熱部（８０）と、前記改質部および加熱部を収容する容器（８２）とを備えた燃料電池の改質器（５６）において、前記容器の内面（８２ｃ）に金属材からなる被覆層（１２６）を形成、具体的には、金属材からなる箔を貼り付ける、あるいは金属材からなるメッキなどでコーティングを施し、よって前記容器の輻射率εを低下させるように構成した。
【００５７】
また、前記金属材が、耐熱性および耐食性を有する素材からなるように構成した。
【００５８】
また、前記金属材が、金、銀および白金の少なくともいずれかからなるように構成した。
【００５９】
尚、上記において、燃料電池１０を固体高分子型としたが、それに限られるものではなく、他の形式であってもよい。
【００６０】
また、改質用燃料として都市ガスを使用するよう構成したが、ＬＰガスなどであってもよい。
【図面の簡単な説明】
【００６１】
【図１】この発明の実施例に係る燃料電池の改質器を説明するための概略図である。
【図２】図１に示す改質装置の改質器の断面を示す説明断面図である。
【符号の説明】
【００６２】
１０  燃料電池、５６  改質器、７６  改質部、８０  加熱部、８２  容器、８２ｃ  （容器の）内面、８４  改質触媒、１２６  被覆層
【図１】
2007311165.tif 000003
【図２】
2007311165.tif 000004